(57)【要約】【課題】  審査者・承認者等の在／不在に柔軟に対応できる決裁ワークフローシステムを提供する。【解決手段】  審査および承認のタスクを経て決裁が行われるワークフローシステムであって、上記審査のタスクにつき正規の審査者および代理の代理審査者が設定され、上記承認のタスクにつき正規の承認者および代理の代理承認者が設定されるルートフレームを保持する手段と、所定の条件が満たされた場合に上記審査のタスクを審査者から代理審査者に移す手段と、所定の条件が満たされた場合に上記承認のタスクを承認者から代理承認者に移す手段とを備える。【選択図】  図３
2006350436.tif 000002
【特許請求の範囲】
【請求項１】
審査および承認のタスクを経て決裁が行われるワークフローシステムであって、
上記審査のタスクにつき正規の審査者および代理の代理審査者が設定され、上記承認のタスクにつき正規の承認者および代理の代理承認者が設定されるルートフレームを保持する手段と、
所定の条件が満たされた場合に上記審査のタスクを審査者から代理審査者に移す手段と、
所定の条件が満たされた場合に上記承認のタスクを承認者から代理承認者に移す手段とを備えたことを特徴とする決裁ワークフローシステム。
【請求項２】
上記所定の条件は、代理審査者もしくは代理承認者が自己が代理で処理可能なタスクの表示を手動で選択した場合であることを特徴とする請求項１に記載の決裁ワークフローシステム。
【請求項３】
上記選択は、自己が処理できるタスクの一覧を示す画面から代理表示を指示するボタンを操作することにより行うことを特徴とする請求項２に記載の決裁ワークフローシステム。
【請求項４】
上記所定の条件は、審査もしくは承認のタスクが正規の審査者もしくは承認者により処理されずに一定時間を経過した場合であることを特徴とする請求項１に記載の決裁ワークフローシステム。
【請求項５】
ワークフローを構成するタスクの時間管理を行うタスクスケジューラにより上記一定時間の経過を監視することを特徴とする請求項４に記載の決裁ワークフローシステム。
【請求項６】
上記所定の条件は、審査もしくは承認のタスクにかかる正規の審査者もしくは承認者の離席情報を検出した場合であることを特徴とする請求項１に記載の決裁ワークフローシステム。
【請求項７】
審査者および承認者の所持する無線通信機器との無線通信により所在場所等の管理を行う無線通信機器管理システムにより上記離席情報を検出することを特徴とする請求項６に記載の決裁ワークフローシステム。
【請求項８】
代理審査者もしくは代理承認者の離席情報を検出した場合にタスクを正規の審査者もしくは承認者に移すことを特徴とする請求項６に記載の決裁ワークフローシステム。
【請求項９】
審査者もしくは承認者の着席情報を検出した場合にタスクを正規の審査者もしくは承認者に移すことを特徴とする請求項６に記載の決裁ワークフローシステム。
【請求項１０】
上記所定の条件は、審査もしくは承認のタスクにかかる正規の審査者もしくは承認者が審査もしくは承認できない状態を示すスケジュールを検出した場合であることを特徴とする請求項１に記載の決裁ワークフローシステム。
【請求項１１】
審査者および承認者の行動予定を管理するスケジュール管理システムにより上記スケジュールを検出することを特徴とする請求項１０に記載の決裁ワークフローシステム。
【請求項１２】
上記所定の条件は、審査もしくは承認のタスクにかかる正規の審査者もしくは承認者が審査もしくは承認できない状態を示すスケジュールを検出し、かつ審査者もしくは承認者の離席情報を検出した場合であることを特徴とする請求項１に記載の決裁ワークフローシステム。
【請求項１３】
Ｗｅｂシステムとして構成されることを特徴とする請求項１に記載の決裁ワークフローシステム。
【請求項１４】
審査および承認のタスクを経て決裁が行われるワークフローの制御方法であって、
上記審査のタスクにつき正規の審査者および代理の代理審査者が設定され、上記承認のタスクにつき正規の承認者および代理の代理承認者が設定されるルートフレームを保持し、
所定の条件が満たされた場合に上記審査のタスクを審査者から代理審査者に移し、
所定の条件が満たされた場合に上記承認のタスクを承認者から代理承認者に移すことを特徴とする決裁ワークフロー制御方法。
【請求項１５】
上記所定の条件は、代理審査者もしくは代理承認者が自己が代理で処理可能なタスクの表示を手動で選択した場合であることを特徴とする請求項１４に記載の決裁ワークフロー制御方法。
【請求項１６】
上記所定の条件は、審査もしくは承認のタスクが正規の審査者もしくは承認者により処理されずに一定時間を経過した場合であることを特徴とする請求項１４に記載の決裁ワークフロー制御方法。
【請求項１７】
上記所定の条件は、審査もしくは承認のタスクにかかる正規の審査者もしくは承認者の離席情報を検出した場合であることを特徴とする請求項１４に記載の決裁ワークフロー制御方法。
【請求項１８】
上記所定の条件は、審査もしくは承認のタスクにかかる正規の審査者もしくは承認者が審査もしくは承認できない状態を示すスケジュールを検出した場合であることを特徴とする請求項１４に記載の決裁ワークフロー制御方法。
【請求項１９】
上記所定の条件は、審査もしくは承認のタスクにかかる正規の審査者もしくは承認者が審査もしくは承認できない状態を示すスケジュールを検出し、かつ審査者もしくは承認者の離席情報を検出した場合であることを特徴とする請求項１４に記載の決裁ワークフロー制御方法。
【発明の詳細な説明】
【技術分野】
【０００１】
本発明は決裁ワークフローシステムおよび決済ワークフロー制御方法に関する。
【背景技術】
【０００２】
企業等の組織内部における各種の決裁手続は効率化の観点から電子化が進み、ワークフローシステムとして構築されることが多い（例えば、特許文献１参照。）。
【０００３】
図１は従来の決裁ワークフローシステムにおける審査・承認の処理例を示すフローチャートである。図１において、申請者は申請文書を起案し（ステップＳ１）、申請ルートの選択を行う（ステップＳ２）。ここで、申請者は、正規の審査者・承認者が不在で審査・承認ができない状態にあるか否か等を考慮した上で申請ルートの選択を行う。正規の審査者・承認者が審査・承認ができない状態にある場合には、代理審査者・代理承認者を指定する。そして、申請ルートの選択の後、申請を行う（ステップＳ３）。
【０００４】
申請が行われると、申請ルートに正規の審査者が指定されている場合には、審査者への通知（ステップＳ４）、審査者による審査（ステップＳ５）と処理は流れ、代理審査者が指定されている場合には、代理審査者への通知（ステップＳ６）、代理審査者による審査（ステップＳ７）と処理は流れる。そして、審査者または代理審査者が審査を許可（ＯＫ）すると（ステップＳ８）、申請ルートに正規の承認者が指定されている場合には、承認者への通知（ステップＳ９）、承認者による承認（ステップＳ１０）と処理は流れ、代理承認者が指定されている場合には、代理承認者への通知（ステップＳ１１）、代理承認者による承認（ステップＳ１２）と処理は流れる。そして、承認者または代理承認者の承認（ＯＫ）により決裁結果の登録が行われる（ステップＳ１３）。
【特許文献１】特開２００２−２７９３３５号公報
【特許文献２】特開２００２−８３１０２号公報
【発明の開示】
【発明が解決しようとする課題】
【０００５】
従来の決裁ワークフローシステムは上述したように処理が進められるものであり、正規の審査者・承認者が不在で審査・承認ができない状態にある程度対応できるものではあったが、次のような問題点が指摘されていた。
【０００６】
先ず、申請者が審査者・承認者の在／不在を確認し、正規の審査者・承認者を申請ルートとするか代理審査者・代理承認者を申請ルートとするかを選択しなければならず、申請するまでの状況確認が煩雑であった。
【０００７】
また、申請後の状況変化により、申請ルートとした審査者・承認者もしくは代理審査者・代理承認者が不在となってしまった場合、代理可能な者がいる場合や正規の審査者・承認者が戻ってきている場合でもこれらの者は自ら審査・承認が行えず、審査・承認がストップしてしまい、迅速な決裁が行えないものであった。
【０００８】
更に、このような場合、正規の審査者・承認者から代理審査者・代理承認者へ、あるいは代理審査者・代理承認者から正規の審査者・承認者や他の者へ変更を行うことになるが、例外的な処理となるため手続が煩雑であった。
【０００９】
一方、特許文献２には、承認者等の端末のＩＰアドレス宛にｐｉｎｇコマンドを送ることにより端末の稼動状態を確認し、これにより承認者等の在／不在を判断し、承認者が不在で代理承認者が在席の場合に代理承認者に承認させる技術が開示されている。しかしながら、端末の稼動状態と承認者等の在／不在とは必ずしも連動するものではなく、実際の承認者等の在／不在を確認できるものではない。
【００１０】
本発明は上記の従来の問題点に鑑み提案されたものであり、その目的とするところは、審査者・承認者等の在／不在に柔軟に対応できる決裁ワークフローシステムおよび決済ワークフロー制御方法を提供することにある。
【課題を解決するための手段】
【００１１】
上記の課題を解決するため、本発明にあっては、請求項１に記載されるように、審査および承認のタスクを経て決裁が行われるワークフローシステムであって、上記審査のタスクにつき正規の審査者および代理の代理審査者が設定され、上記承認のタスクにつき正規の承認者および代理の代理承認者が設定されるルートフレームを保持する手段と、所定の条件が満たされた場合に上記審査のタスクを審査者から代理審査者に移す手段と、所定の条件が満たされた場合に上記承認のタスクを承認者から代理承認者に移す手段とを備えた決裁ワークフローシステムを要旨としている。
【００１２】
また、請求項２に記載されるように、上記所定の条件は、代理審査者もしくは代理承認者が自己が代理で処理可能なタスクの表示を手動で選択した場合であるものとすることができる。
【００１３】
また、請求項３に記載されるように、上記選択は、自己が処理できるタスクの一覧を示す画面から代理表示を指示するボタンを操作することにより行うようにすることができる。
【００１４】
また、請求項４に記載されるように、上記所定の条件は、審査もしくは承認のタスクが正規の審査者もしくは承認者により処理されずに一定時間を経過した場合であるものとすることができる。
【００１５】
また、請求項５に記載されるように、ワークフローを構成するタスクの時間管理を行うタスクスケジューラにより上記一定時間の経過を監視するようにすることができる。
【００１６】
また、請求項６に記載されるように、上記所定の条件は、審査もしくは承認のタスクにかかる正規の審査者もしくは承認者の離席情報を検出した場合であるものとすることができる。
【００１７】
また、請求項７に記載されるように、審査者および承認者の所持する無線通信機器との無線通信により所在場所等の管理を行う無線通信機器管理システムにより上記離席情報を検出するようにすることができる。
【００１８】
また、請求項８に記載されるように、代理審査者もしくは代理承認者の離席情報を検出した場合にタスクを正規の審査者もしくは承認者に移すようにすることができる。
【００１９】
また、請求項９に記載されるように、審査者もしくは承認者の着席情報を検出した場合にタスクを正規の審査者もしくは承認者に移すようにすることができる。
【００２０】
また、請求項１０に記載されるように、上記所定の条件は、審査もしくは承認のタスクにかかる正規の審査者もしくは承認者が審査もしくは承認できない状態を示すスケジュールを検出した場合であるものとすることができる。
【００２１】
また、請求項１１に記載されるように、審査者および承認者の行動予定を管理するスケジュール管理システムにより上記スケジュールを検出するようにすることができる。
【００２２】
また、請求項１２に記載されるように、上記所定の条件は、審査もしくは承認のタスクにかかる正規の審査者もしくは承認者が審査もしくは承認できない状態を示すスケジュールを検出し、かつ審査者もしくは承認者の離席情報を検出した場合であるものとすることができる。
【００２３】
また、請求項１３に記載されるように、Ｗｅｂシステムとして構成されるようにすることができる。
【００２４】
また、請求項１４〜１９に記載されるように、決済ワークフロー制御方法として構成することができる。
【発明の効果】
【００２５】
本発明の決裁ワークフローシステムおよび決済ワークフロー制御方法にあっては、審査者・承認者等の在／不在に柔軟に対応することができる。
【発明を実施するための最良の形態】
【００２６】
以下、本発明の好適な実施形態につき詳細に説明する。
【００２７】
＜ルートフレーム＞
図２は本発明におけるルートフレームの例を示す図である。図２において、従来の例１に示すような申請ルート「申請者→審査者１→承認者」、例２に示すような申請ルート「申請者→審査者１→審査者２→承認者」に対し、本発明では例１に示すような申請ルート「申請者→審査者１／代理審査者１→承認者／代理承認者」、例２に示すような申請ルート「申請者→審査者１／代理審査者１→審査者２／代理審査者２→承認者／代理承認者」をルートフレームとして設定する。すなわち、ルートフレームとして予め決められた形を作っておき、審査者・承認者だけでなくそれぞれの代理者も選択してから申請を行わせるようにするものである。このルートフレームは後述するワークフローシステム２のワークフローエンジン２２（図３）に保持される。
【００２８】
＜システム構成＞
図３は決裁ワークフローシステムの構成例を示す図である。なお、ここではＷｅｂシステムとして構成した場合を示している。図３において、決裁ワークフローシステムは、申請者、審査者、代理審査者、承認者、代理承認者等によって操作されるパーソナルコンピュータ等のクライアント１と、クライアント１のブラウザ１１を通してアクセスされるＷｅｂ上に構築されたワークフローシステム２と、ワークフローシステム２の参照・更新するデータベース３と、ユーザ認証等の機能を提供するユーザ認証システム４と、ユーザ情報等を管理するディレクトリサービスシステム５と、審査者、代理審査者、承認者、代理承認者等の行動予定を管理するスケジュール管理システム６と、審査者、代理審査者、承認者、代理承認者等の所持する無線通信機器８との無線通信により所在場所等の管理を行う無線通信機器管理システム７とを備えている。
【００２９】
ワークフローシステム２は、クライアント１のブラウザ１１からのアクセスに対するユーザインタフェースを制御するＵＩアプリケーション２１と、ワークフローの主たる制御を行うワークフローエンジン２２と、ワークフローを構成するタスクの時間管理を行うタスクスケジューラ２３と、ワークフローに変更を加える審査・承認フロー自動変更システム２４とを有している。
【００３０】
＜手動による代理審査／代理承認への移行＞
図４は手動による代理審査／代理承認への移行を可能とした場合の申請文書の状態遷移図である。図４において、「作成中」の状態にある申請文書は、申請されることで（ステップＳ１０１）、正規の審査者のみ審査が可能な「審査待ち」の状態になる。この状態で、代理審査者が代理で処理可能な審査の表示を行うと（ステップＳ１０２）、審査者・代理審査者共に審査が可能な「審査待ち」の状態になる。
【００３１】
次いで、審査者による審査が行われ（ステップＳ１０３）、あるいは、審査者もしくは代理審査者による審査が行われると（ステップＳ１０４）、正規の承認者のみ承認が可能な「承認待ち」の状態になる。この状態で、代理承認者が代理で処理可能な承認の表示を行うと（ステップＳ１０５）、承認者・代理承認者共に承認が可能な「承認待ち」の状態になる。そして、承認者による承認が行われ（ステップＳ１０６）、あるいは、承認者もしくは代理承認者による承認が行われると（ステップＳ１０７）、「承認済→登録」の状態になる。
【００３２】
図５は手動による代理審査／代理承認への移行を行う処理を示すシーケンス図である。図５において、正規の審査者・承認者のみが審査・承認を行える状態にあるものとし、この状態で代理審査者・代理承認者がクライアント１のブラウザ１１に対して審査・承認リストの表示を行わせると（ステップＳ１１１）、ブラウザ１１はワークフローシステム２のワークフローエンジン２２に審査・承認リストの取得を要求し（ステップＳ１１２）、その応答として審査・承認リストを取得し（ステップＳ１１３）、代理審査者・代理承認者に対して表示する（ステップＳ１１４）。この状態では、クライアント１を操作している代理審査者・代理承認者が正規の審査者・承認者となっている申請文書のみが表示される。
【００３３】
次いで、代理審査者・代理承認者がブラウザ１１に対して代理を含む審査・承認リストの表示を行わせると（ステップＳ１１５）、ブラウザ１１はワークフローエンジン２２に代理を含む審査・承認リストの取得を要求し（ステップＳ１１６）、その応答として代理を含む審査・承認リストを取得し（ステップＳ１１７）、ブラウザ１１は代理審査者・代理承認者に対して表示する（ステップＳ１１８）。この状態では、クライアント１を操作している代理審査者・代理承認者が正規の審査者・承認者となっている申請文書に加え、ルートフレームで代理審査者・代理承認者として指定されている申請文書が表示される。
【００３４】
図６は手動による代理審査／代理承認への移行を行う場合の画面フロー図である。図６において、決裁ワークフローシステムの入口は「初期メニュー画面」となっている。図７は初期メニュー画面の例を示す図であり、「新規申請」「審査・承認リスト」を選択可能としたボタンが表示されている。
【００３５】
図６に戻り、「初期メニュー画面」から審査・承認リストを選択すると（ステップＳ１２１）、代理を含まない「審査・承認リスト画面」に移行する。図８は審査・承認リスト画面の例を示す図であり、操作者が「Ｈさん」であるとすると、この「Ｈさん」が正規の審査者・承認者として「担当者」に掲げられている申請文書のみが表示されている。また、代理を含む審査・承認リストの表示に切り替えるための「代理表示」ボタンが表示されている。
【００３６】
図６に戻り、「審査・承認リスト画面」から代理表示を選択すると（ステップＳ１２２）、代理を含む「審査・承認リスト画面」に移行する。図９は審査・承認リスト画面の例を示す図であり、操作者が「Ｈさん」であるとすると、この「Ｈさん」が正規の審査者・承認者として「担当者」に掲げられている申請文書に加え、「Ｈさん」が代理審査者・代理承認者として指定されている申請文書が表示されている。また、代理を含まない審査・承認リストの表示に切り替えるための「代理非表示」ボタンが表示されている。
【００３７】
図６に戻り、代理を含む「審査・承認リスト画面」から代理非表示を選択すると（ステップＳ１２３）、再び代理を含まない「審査・承認リスト画面」に戻る。
【００３８】
一方、代理を含まない「審査・承認リスト画面」から審査・承認を行う文書を選択し（ステップＳ１２４）、あるいは代理を含む「審査・承認リスト画面」から代理審査・代理承認を行う文書を選択すると（ステップＳ１２５）、「審査・承認処理画面」に移行する。図１０は審査・承認処理画面の例を示す図であり、選択した申請文書について「承認」「取り下げ」「却下」等を選択するボタンが表示されるとともに、申請文書の内容および経過が表示されている。
【００３９】
図６に戻り、「審査・承認処理画面」から初期メニューに戻る指示を行うと（ステップＳ１２６）、「初期メニュー画面」に移行する。
【００４０】
このように、代理審査者・代理承認者が自分が代理で行える申請文書の表示・非表示を自由に切り替えることができ、代理審査者・代理承認者が自分の判断で代理審査・代理承認を行うことができる。
【００４１】
＜一定時間経過による代理審査／代理承認への移行＞
図１１は一定時間経過による代理審査／代理承認への移行を可能とした場合の申請文書の状態遷移図である。図１１において、「作成中」の状態にある申請文書は、申請されることで（ステップＳ２０１）、正規の審査者のみ審査が可能な「審査待ち」の状態になる。この状態で、事前に決めておいた一定時間が経過すると（ステップＳ２０２）、審査者・代理審査者共に審査が可能な「審査待ち」の状態になる。
【００４２】
次いで、審査者による審査が行われ（ステップＳ２０３）、あるいは、審査者もしくは代理審査者による審査が行われると（ステップＳ２０４）、正規の承認者のみ承認が可能な「承認待ち」の状態になる。この状態で、事前に決めておいた一定時間が経過すると（ステップＳ２０５）、承認者・代理承認者共に承認が可能な「承認待ち」の状態になる。そして、承認者による承認が行われ（ステップＳ２０６）、あるいは、承認者もしくは代理承認者による承認が行われると（ステップＳ２０７）、「承認済→登録」の状態になる。
【００４３】
図１２は一定時間経過による代理審査／代理承認への移行を行う処理を示すシーケンス図である。図１２において、申請者がクライアント１のブラウザ１１に対して申請を行うことで（ステップＳ２１１）、ブラウザ１１はワークフローシステム２のワークフローエンジン２２に対して申請文書の登録を行い（ステップＳ２１２）、ワークフローエンジン２２はタスクスケジューラ２３に対してタスク登録を行う（ステップＳ２１３）。これらの一連の処理が正常に行われた旨は応答として申請者に伝えられる（ステップＳ２１４〜Ｓ２１６）。
【００４４】
その後、代理審査者がブラウザ１１に対して審査・承認リストの表示を行わせると（ステップＳ２１７）、ブラウザ１１はワークフローエンジン２２に審査・承認リストの取得を要求し（ステップＳ２１８）、その応答として審査・承認リストを取得し（ステップＳ２１９）、代理審査者に対して表示する（ステップＳ２２０）。この状態では、代理審査者が正規の審査者となっている申請文書のみが表示される。
【００４５】
一方、タスクスケジューラ２３は登録されたタスクについて一定時間処理がされない場合、ワークフローエンジン２２に対して通知を行い（ステップＳ２２１）、ワークフローエンジン２２は当該タスクを代理審査者へ移動する（ステップＳ２２２）。
【００４６】
その後、代理審査者がブラウザ１１に対して審査・承認リストの表示を行わせると（ステップＳ２２３）、ブラウザ１１はワークフローエンジン２２に審査・承認リストの取得を要求し（ステップＳ２２４）、その応答として審査・承認リストを取得し（ステップＳ２２５）、代理審査者に対して表示する（ステップＳ２２６）。この状態では、代理審査者が正規の審査者となっている申請文書に加え、ルートフレームで代理審査者として指定されている申請文書であってタスクの移動があったものが表示される。
【００４７】
以上の動作は申請文書が審査の段階にある場合であるが、承認の段階にある場合も同様となり、正規の承認者のみが承認を行える状態にある申請文書が一定時間処理されない場合、自動的に承認者・代理承認者の両者が承認を行える状態となる。
【００４８】
図１３はワークフローエンジン２２とタスクスケジューラ２３のデータ通信の例を示す図であり、ワークフローエンジン２２からタスクスケジューラ２３に対してタスク登録を行うＸＭＬ（eXtensible Markup Language）によるデータの例を示している。図１４はタスクスケジューラ２３からワークフローエンジン２２に一定時間処理がされないタスクの移動を指示するＸＭＬによるデータの例を示している。
【００４９】
図１５は一定時間経過による代理審査／代理承認への移行を行う場合の画面フロー図である。図１５において、「初期メニュー画面」から審査・承認リストを選択すると（ステップＳ２３１）、代理を含まない「審査・承認リスト画面」に移行する。図１６は審査・承認リスト画面の例を示す図であり、操作者「Ｈさん」の画面には「Ｈさん」が正規の審査者・承認者として「担当者」に掲げられている申請文書のみが表示され、操作者「Ｇさん」の画面には「Ｇさん」が正規の審査者・承認者として「担当者」に掲げられている申請文書のみが表示されている。
【００５０】
図１５に戻り、申請文書が審査・承認に入ってから一定時間の経過の後に画面表示の更新もしくは再表示が行われると（ステップＳ２３２）、代理を含む「審査・承認リスト画面」に移行する。図１７は審査・承認リスト画面の例を示す図であり、操作者「Ｈさん」の画面には「Ｈさん」が正規の審査者・承認者として「担当者」に掲げられている申請文書に加え、「Ｈさん」が代理審査者・代理承認者として指定されている申請文書が表示されている。また、操作者「Ｇさん」の画面には「Ｇさん」が代理審査者・代理承認者として指定されている申請文書があれば追加されて表示されるが、ここではそれはないため、表示に変化がない。
【００５１】
図１５に戻り、代理を含む「審査・承認リスト画面」から代理審査・代理承認を行う文書を選択すると（ステップＳ２３３）、「審査・承認処理画面」に移行する。また、「審査・承認処理画面」から初期メニューに戻る指示を行うと（ステップＳ２３４）、「初期メニュー画面」に移行する。
【００５２】
このように、一定時間の経過により、代理審査者・代理承認者が代理審査・代理承認を行うことができるようになり、正規の審査者・承認者の不在等に対しても自動的に対応することができる。
【００５３】
＜審査者／承認者の離席情報による代理審査／代理承認への移行＞
図１８は審査者／承認者の離席情報による代理審査／代理承認への移行を可能とした場合の申請文書の状態遷移図である。図１８において、「作成中」の状態にある申請文書は、申請されることで（ステップＳ３０１）、正規の審査者のみ審査が可能な「審査待ち」の状態になる。この状態で、無線通信機器管理システム７より審査者の離席情報が抽出されると（ステップＳ３０２）、代理審査者のみ審査が可能な「審査待ち」の状態になる。
【００５４】
次いで、審査者による審査が行われ（ステップＳ３０３）、あるいは、代理審査者による審査が行われると（ステップＳ３０４）、正規の承認者のみ承認が可能な「承認待ち」の状態になる。この状態で、無線通信機器管理システム７より承認者の離席情報が抽出されると（ステップＳ３０５）、代理承認者のみ承認が可能な「承認待ち」の状態になる。そして、承認者による承認が行われ（ステップＳ３０６）、あるいは、代理承認者による承認が行われると（ステップＳ３０７）、「承認済→登録」の状態になる。
【００５５】
図１９は審査者／承認者の離席情報による代理審査／代理承認への移行を行う処理を示すシーケンス図である。図１９において、正規の審査者・承認者のみが審査・承認を行える状態にあるものとし、この状態で代理審査者・代理承認者がクライアント１のブラウザ１１に対して審査・承認リストの表示を行わせると（ステップＳ３１１）、ブラウザ１１はワークフローシステム２のワークフローエンジン２２に審査・承認リストの取得を要求し（ステップＳ３１２）、その応答として審査・承認リストを取得し（ステップＳ３１３）、代理審査者・代理承認者に対して表示する（ステップＳ３１４）。この状態では、代理審査者・代理承認者が正規の審査者・承認者となっている申請文書のみが表示される。
【００５６】
一方、正規の審査者・承認者が会議室に移動したり外出したりしたことは無線通信機器管理システム７により監視され（ステップＳ３１５）、無線通信機器管理システム７は審査・承認フロー自動変更システム２４に審査者・承認者の現在位置を通知する（ステップＳ３１６）。審査・承認フロー自動変更システム２４は外出等が通知されてから一定時間後に無線通信機器管理システム７に対して位置情報を問い合わせ（ステップＳ３１７、Ｓ３１８）、代理者にタスクを移行させるか否か判定し（ステップＳ３１９）、外出等から一定時間以上経過している場合にはワークフローエンジン２２に対してタスクの移動を指示する（ステップＳ３２０）。ワークフローエンジン２２はタスクの移動を行い、代理審査者・代理承認者のみ審査が可能な状態とする。
【００５７】
その後、代理審査者・代理承認者がブラウザ１１に対して審査・承認リストの表示を行わせると（ステップＳ３２１）、ブラウザ１１はワークフローエンジン２２に審査・承認リストの取得を要求し（ステップＳ３２２）、その応答として代理を含む審査・承認リストを取得し（ステップＳ３２３）、代理審査者・代理承認者に対して表示する（ステップＳ３２４）。この状態では、代理審査者・代理承認者が正規の審査者・承認者となっている申請文書に加え、ルートフレームで代理審査者・代理承認者として指定されている申請文書であってタスクの移動があったものが表示される。
【００５８】
図２０は審査・承認フロー自動変更システム２４における審査者自動切替の処理例を示すフローチャートである。図２０において、審査者の移動が通知されると、代理審査が可能であるか否か判断し（ステップＳ３３１）、可能である場合には、外出であるか否かの判断（ステップＳ３３２）、会議室への移動であるか否かの判断（ステップＳ３３３）、他の階への移動であるか否かの判断（ステップＳ３３４）等を行い、いずれかの場合はそれが例えば１５分間以上継続するか否か判断し（ステップＳ３３５）、継続する場合には代理審査者へタスクを移動する（ステップＳ３３６）。なお、外出、会議室への移動、他の階への移動等の条件は適宜に追加・削除することが可能であり、組織の実態に合わせたものとすることができる。また、審査者の切替について説明したが、承認者についても同様である。
【００５９】
図２１は無線通信機器管理システム７と審査・承認フロー自動変更システム２４のデータ通信の例を示す図であり、無線通信機器管理システム７から審査・承認フロー自動変更システム２４へ通知される名前、場所、何時からそこにいるのかといった内容を持つデータＤ１と、審査・承認フロー自動変更システム２４から無線通信機器管理システム７への一定時間後の問い合わせのデータＤ２と、その問い合わせに対する無線通信機器管理システム７から審査・承認フロー自動変更システム２４への何時からそこにいるのかといった内容を持つデータＤ３とにつき、ＸＭＬによるデータの例を示している。
【００６０】
図２２は審査者／承認者の離席情報による代理審査／代理承認への移行を行う場合の画面フロー図である。図２２において、「初期メニュー画面」から審査・承認リストを選択すると（ステップＳ３４１）、代理を含まない「審査・承認リスト画面」に移行する。図２３は審査・承認リスト画面の例を示す図であり、操作者「Ｈさん」の画面には「Ｈさん」が正規の審査者・承認者として「担当者」に掲げられている申請文書のみが表示され、操作者「Ｂさん」の画面には「Ｂさん」が正規の審査者・承認者として「担当者」に掲げられている申請文書のみが表示されている。
【００６１】
図２２に戻り、審査者・承認者の外出等が一定時間経過した後に画面表示の更新もしくは再表示が行われると（ステップＳ３４２）、代理を含む「審査・承認リスト画面」に移行する。図２４は審査・承認リスト画面の例を示す図であり、操作者「Ｈさん」の画面には「Ｈさん」が正規の審査者・承認者として「担当者」に掲げられている申請文書に加え、「Ｈさん」が代理審査者・代理承認者として指定されている申請文書が表示されている。また、操作者「Ｂさん」の画面には「Ｈさん」へのタスクの移動により表示される文書はなくなっている。
【００６２】
図２２に戻り、代理を含む「審査・承認リスト画面」から代理審査・代理承認を行う文書を選択すると（ステップＳ３４３）、「審査・承認処理画面」に移行する。また、「審査・承認処理画面」から初期メニューに戻る指示を行うと（ステップＳ３４４）、「初期メニュー画面」に移行する。
【００６３】
このように、審査者／承認者の離席により、代理審査者・代理承認者が代理審査・代理承認を行うことができるようになり、正規の審査者・承認者の不在等に対しても自動的に対応することができる。
【００６４】
図２５は代理審査者／代理承認者の離席情報を更に考慮した場合の申請文書の状態遷移図である。図１８と比較して、代理審査者のみ審査可能な「審査待ち」の状態となってから、代理審査者の離席情報が抽出された場合あるいは審査者の着席情報が抽出された場合に審査者のみ審査可能な「審査待ち」の状態に移行する処理（ステップＳ３５３）と、代理承認者のみ審査可能な「審査待ち」の状態となってから、代理承認者の離席情報が抽出された場合あるいは承認者の着席情報が抽出された場合に承認者のみ審査可能な「審査待ち」の状態に移行する処理（ステップＳ３５７）とが追加された点が異なる。
【００６５】
＜審査者／承認者のスケジュールによる代理審査／代理承認への移行＞
図２６は審査者／承認者のスケジュールによる代理審査／代理承認への移行を可能とした場合の申請文書の状態遷移図である。図２６において、「作成中」の状態にある申請文書は、申請されることで（ステップＳ４０１）、正規の審査者のみ審査が可能な「審査待ち」の状態になる。この状態で、スケジュール管理システム６より審査者の外出等についての予定情報が抽出されると（ステップＳ４０２）、代理審査者が審査可能な「審査待ち」の状態になる。
【００６６】
次いで、審査者による審査が行われ（ステップＳ４０３）、あるいは、代理審査者による審査が行われると（ステップＳ４０４）、正規の承認者のみ承認が可能な「承認待ち」の状態になる。この状態で、スケジュール管理システム６より承認者の外出等についての予定情報が抽出されると（ステップＳ４０５）、代理承認者が承認可能な「承認待ち」の状態になる。そして、承認者による承認が行われ（ステップＳ４０６）、あるいは、代理承認者による承認が行われると（ステップＳ４０７）、「承認済→登録」の状態になる。
【００６７】
図２７は審査者／承認者のスケジュールによる代理審査／代理承認への移行を行う処理を示すシーケンス図である。図２７において、正規の審査者・承認者のみが審査・承認を行える状態にあるものとし、この状態で代理審査者・代理承認者がクライアント１のブラウザ１１に対して審査・承認リストの表示を行わせると（ステップＳ４１１）、ブラウザ１１はワークフローシステム２のワークフローエンジン２２に審査・承認リストの取得を要求し（ステップＳ４１２）、その応答として審査・承認リストを取得し（ステップＳ４１３）、代理審査者・代理承認者に対して表示する（ステップＳ４１４）。この状態では、代理審査者・代理承認者が正規の審査者・承認者となっている申請文書のみが表示される。
【００６８】
一方、正規の審査者・承認者の外出等の予定はスケジュール管理システム６により管理されており、審査者・承認者の外出等の時刻になるとスケジュール管理システム６は審査・承認フロー自動変更システム２４に対してその旨を通知する（ステップＳ４１５）。審査・承認フロー自動変更システム２４は代理者にタスクを移動させるか否か判定し（ステップＳ４１６）、ワークフローエンジン２２に対してタスクの移動を指示する（ステップＳ４１７）。ワークフローエンジン２２はタスクの移動を行い、代理審査者・代理承認者が審査可能な状態とする。
【００６９】
その後、代理審査者・代理承認者がブラウザ１１に対して審査・承認リストの表示を行わせると（ステップＳ４１８）、ブラウザ１１はワークフローエンジン２２に審査・承認リストの取得を要求し（ステップＳ４１９）、その応答として代理を含む審査・承認リストを取得し（ステップＳ４２０）、代理審査者・代理承認者に対して表示する（ステップＳ４２１）。この状態では、代理審査者・代理承認者が正規の審査者・承認者となっている申請文書に加え、ルートフレームで代理審査者・代理承認者として指定されている申請文書であってタスクの移動があったものが表示される。
【００７０】
図２８は審査・承認フロー自動変更システム２４における審査者自動切替の処理例を示すフローチャートである。図２８において、審査者のスケジュールが通知されると、代理審査が可能であるか否か判断し（ステップＳ４３１）、可能である場合には、会議であるか否かの判断（ステップＳ４３２）、研修であるか否かの判断（ステップＳ４３３）等を行い、いずれかの場合はそれが一定時間以上の予定であるか否か判断し（ステップＳ４３４）、一定時間以上の場合には代理審査者へタスクを移動する（ステップＳ４３５）。なお、会議、研修等の条件は適宜に追加・削除することが可能であり、組織の実態に合わせたものとすることができる。また、審査者の切替について説明したが、承認者についても同様である。
【００７１】
図２９はスケジュール管理システム６と審査・承認フロー自動変更システム２４のデータ通信の例を示す図であり、スケジュール管理システム６から審査・承認フロー自動変更システム２４へ通知される名前、場所、開始・終了時間といった内容を持つデータのＸＭＬによる例を示している。
【００７２】
図３０は審査者／承認者のスケジュールによる代理審査／代理承認への移行を行う場合の画面フロー図である。図３０において、「初期メニュー画面」から審査・承認リストを選択すると（ステップＳ４４１）、代理を含まない「審査・承認リスト画面」に移行する。図３１は審査・承認リスト画面の例を示す図であり、操作者「Ｈさん」の画面には「Ｈさん」が正規の審査者・承認者として「担当者」に掲げられている申請文書のみが表示されている。
【００７３】
図３０に戻り、審査者・承認者の一定時間を越える外出等の予定の開始の後に画面表示の更新もしくは再表示が行われると（ステップＳ４４２）、代理を含む「審査・承認リスト画面」に移行する。図３２は審査・承認リスト画面の例を示す図であり、操作者「Ｈさん」の画面には「Ｈさん」が正規の審査者・承認者として「担当者」に掲げられている申請文書に加え、「Ｈさん」が代理審査者・代理承認者として指定されている申請文書が表示されている。
【００７４】
図３０に戻り、代理を含む「審査・承認リスト画面」から代理審査・代理承認を行う文書を選択すると（ステップＳ４４３）、「審査・承認処理画面」に移行する。また、「審査・承認処理画面」から初期メニューに戻る指示を行うと（ステップＳ４４４）、「初期メニュー画面」に移行する。
【００７５】
このように、審査者／承認者のスケジュールにより、代理審査者・代理承認者が代理審査・代理承認を行うことができるようになり、正規の審査者・承認者の不在等に対しても自動的に対応することができる。
【００７６】
＜審査者／承認者のスケジュールおよび離席情報による代理審査／代理承認への移行＞
図３３は審査者／承認者のスケジュールおよび離席情報による代理審査／代理承認への移行を可能とした場合の申請文書の状態遷移図である。図３３において、「作成中」の状態にある申請文書は、申請されることで（ステップＳ５０１）、正規の審査者のみ審査が可能な「審査待ち」の状態になる。この状態で、スケジュール管理システム６より審査者の外出等についての予定情報が抽出され、かつ無線通信機器管理システム７より審査者の離席情報が抽出されると（ステップＳ５０２）、代理審査者のみ審査が可能な「審査待ち」の状態になる。
【００７７】
次いで、審査者による審査が行われ（ステップＳ５０３）、あるいは、代理審査者による審査が行われると（ステップＳ５０４）、正規の承認者のみ承認が可能な「承認待ち」の状態になる。この状態で、スケジュール管理システム６より承認者の外出等についての予定情報が抽出され、かつ無線通信機器管理システム７より承認者の離席情報が抽出されると（ステップＳ５０５）、代理承認者のみ承認が可能な「承認待ち」の状態になる。そして、承認者による承認が行われ（ステップＳ５０６）、あるいは、代理承認者による承認が行われると（ステップＳ５０７）、「承認済→登録」の状態になる。
【００７８】
図３４は審査者／承認者のスケジュールおよび離席情報による代理審査／代理承認への移行を行う処理を示すシーケンス図である。図３４において、正規の審査者・承認者のみが審査・承認を行える状態にあるものとし、この状態で代理審査者・代理承認者がクライアント１のブラウザ１１に対して審査・承認リストの表示を行わせると（ステップＳ５１１）、ブラウザ１１はワークフローシステム２のワークフローエンジン２２に審査・承認リストの取得を要求し（ステップＳ５１２）、その応答として審査・承認リストを取得し（ステップＳ５１３）、代理審査者・代理承認者に対して表示する（ステップＳ５１４）。この状態では、代理審査者・代理承認者が正規の審査者・承認者となっている申請文書のみが表示される。
【００７９】
一方、正規の審査者・承認者の外出等の予定はスケジュール管理システム６により管理されており、審査者・承認者の外出等の時刻になるとスケジュール管理システム６は審査・承認フロー自動変更システム２４に対してその旨を通知する（ステップＳ５１５）。審査・承認フロー自動変更システム２４は無線通信機器管理システム７に対して審査者・承認者の場所を問い合わせ（ステップＳ５１６）、無線通信機器管理システム７は審査者・承認者の所持する無線通信機器８から場所を取得し（ステップＳ５１７、Ｓ５１８）、審査・承認フロー自動変更システム２４に伝える（ステップＳ５１９）。
【００８０】
続いて、審査・承認フロー自動変更システム２４はスケジュール管理システム６に対して代理審査者・代理承認者の予定を問い合わせる（ステップＳ５２０、Ｓ５２１）。更に審査・承認フロー自動変更システム２４は無線通信機器管理システム７に対して代理審査者・代理承認者の場所を問い合わせ（ステップＳ５２２）、無線通信機器管理システム７は代理審査者・代理承認者の所持する無線通信機器８から場所を取得し（ステップＳ５２３、Ｓ５２４）、審査・承認フロー自動変更システム２４に伝える（ステップＳ５２５）。
【００８１】
そして、審査・承認フロー自動変更システム２４は代理者にタスクを移動させるか否か判定し（ステップＳ５２６）、審査者・承認者が予定通りに外出等により不在で代理審査者・代理承認者が在席の場合、ワークフローエンジン２２に対してタスクの移動を指示する（ステップＳ５２７）。ワークフローエンジン２２はタスクの移動を行い、代理審査者・代理承認者のみ審査可能な状態とする。
【００８２】
その後、代理審査者・代理承認者がブラウザ１１に対して審査・承認リストの表示を行わせると（ステップＳ５２８）、ブラウザ１１はワークフローエンジン２２に審査・承認リストの取得を要求し（ステップＳ５２９）、その応答として代理を含む審査・承認リストを取得し（ステップＳ５３０）、代理審査者・代理承認者に対して表示する（ステップＳ５３１）。この状態では、代理審査者・代理承認者が正規の審査者・承認者となっている申請文書に加え、ルートフレームで代理審査者・代理承認者として指定されている申請文書であってタスクの移動があったものが表示される。
【００８３】
図３５は審査・承認フロー自動変更システム２４における審査者自動切替の処理例を示すフローチャートである。図３５において、審査者のスケジュールが通知されると、代理審査が可能であるか否か判断し（ステップＳ５４１）、可能である場合には、外出であるか否かの判断（ステップＳ５４２）、会議室への移動であるか否かの判断（ステップＳ５４３）、他の階への移動であるか否かの判断（ステップＳ５４４）を行い、いずれかの場合は無線通信機器８からの情報も同様であるか否か判断し（ステップＳ５４５）、同様である場合には代理審査者へタスクを移動する（ステップＳ５４６）。なお、外出、会議室への移動、他の階への移動等の条件は適宜に追加・削除することが可能であり、組織の実態に合わせたものとすることができる。また、審査者の切替について説明したが、承認者についても同様である。
【００８４】
図３６はスケジュール管理システム６と審査・承認フロー自動変更システム２４と無線通信機器管理システム７のデータ通信の例を示す図であり、スケジュール管理システム６から審査・承認フロー自動変更システム２４へ通知される名前、場所、開始・終了時間といった内容を持つデータＤ４と、審査・承認フロー自動変更システム２４から無線通信機器管理システム７への一定時間後の問い合わせのデータＤ５と、その問い合わせに対する無線通信機器管理システム７から審査・承認フロー自動変更システム２４への何時からそこにいるのかといった内容を持つデータＤ６とにつき、ＸＭＬによるデータの例を示している。
【００８５】
図３７は審査者／承認者のスケジュールおよび離席情報による代理審査／代理承認への移行を行う場合の画面フロー図である。図３７において、「初期メニュー画面」から審査・承認リストを選択すると（ステップＳ５４１）、代理を含まない「審査・承認リスト画面」に移行する。図３８は審査・承認リスト画面の例を示す図であり、操作者「Ｈさん」の画面には「Ｈさん」が正規の審査者・承認者として「担当者」に掲げられている申請文書のみが表示され、操作者「Ｂさん」の画面には「Ｂさん」が正規の審査者・承認者として「担当者」に掲げられている申請文書のみが表示されている。
【００８６】
図３７に戻り、審査者・承認者の外出等のスケジュールがありかつ外出等の後に画面表示の更新もしくは再表示が行われると（ステップＳ５４２）、代理を含む「審査・承認リスト画面」に移行する。図３９は審査・承認リスト画面の例を示す図であり、操作者「Ｈさん」の画面には「Ｈさん」が正規の審査者・承認者として「担当者」に掲げられている申請文書に加え、「Ｈさん」が代理審査者・代理承認者として指定されている申請文書が表示されている。また、操作者「Ｂさん」の画面には「Ｈさん」へのタスクの移動により表示される文書はなくなっている。
【００８７】
図３７に戻り、代理を含む「審査・承認リスト画面」から代理審査・代理承認を行う文書を選択すると（ステップＳ５４３）、「審査・承認処理画面」に移行する。また、「審査・承認処理画面」から初期メニューに戻る指示を行うと（ステップＳ５４４）、「初期メニュー画面」に移行する。
【００８８】
このように、審査者／承認者の外出等のスケジュールがありかつ離席が確認されたことにより、代理審査者・代理承認者が代理審査・代理承認を行うことができるようになり、正規の審査者・承認者の不在等に対しても自動的に対応することができる。
【００８９】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００９０】
【図１】従来の決裁ワークフローシステムにおける審査・承認の処理例を示すフローチャートである。
【図２】本発明におけるルートフレームの例を示す図である。
【図３】決裁ワークフローシステムの構成例を示す図である。
【図４】手動による代理審査／代理承認への移行を可能とした場合の申請文書の状態遷移図である。
【図５】手動による代理審査／代理承認への移行を行う処理を示すシーケンス図である。
【図６】手動による代理審査／代理承認への移行を行う場合の画面フロー図である。
【図７】初期メニュー画面の例を示す図である。
【図８】審査・承認リスト画面の例を示す図（その１）である。
【図９】審査・承認リスト画面の例を示す図（その２）である。
【図１０】審査・承認処理画面の例を示す図である。
【図１１】一定時間経過による代理審査／代理承認への移行を可能とした場合の申請文書の状態遷移図である。
【図１２】一定時間経過による代理審査／代理承認への移行を行う処理を示すシーケンス図である。
【図１３】ワークフローエンジンとタスクスケジューラのデータ通信の例を示す図（その１）である。
【図１４】ワークフローエンジンとタスクスケジューラのデータ通信の例を示す図（その２）である。
【図１５】一定時間経過による代理審査／代理承認への移行を行う場合の画面フロー図である。
【図１６】審査・承認リスト画面の例を示す図（その１）である。
【図１７】審査・承認リスト画面の例を示す図（その２）である。
【図１８】審査者／承認者の離席情報による代理審査／代理承認への移行を可能とした場合の申請文書の状態遷移図である。
【図１９】審査者／承認者の離席情報による代理審査／代理承認への移行を行う処理を示すシーケンス図である。
【図２０】審査者自動切替の処理例を示すフローチャートである。
【図２１】無線通信機器管理システムと審査・承認フロー自動変更システムのデータ通信の例を示す図である。
【図２２】審査者／承認者の離席情報による代理審査／代理承認への移行を行う場合の画面フロー図である。
【図２３】審査・承認リスト画面の例を示す図（その１）である。
【図２４】審査・承認リスト画面の例を示す図（その２）である。
【図２５】代理審査者／代理承認者の離席情報を更に考慮した場合の申請文書の状態遷移図である。
【図２６】審査者／承認者のスケジュールによる代理審査／代理承認への移行を可能とした場合の申請文書の状態遷移図である。
【図２７】審査者／承認者のスケジュールによる代理審査／代理承認への移行を行う処理を示すシーケンス図である。
【図２８】審査者自動切替の処理例を示すフローチャートである。
【図２９】スケジュール管理システムと審査・承認フロー自動変更システムのデータ通信の例を示す図である。
【図３０】審査者／承認者のスケジュールによる代理審査／代理承認への移行を行う場合の画面フロー図である。
【図３１】審査・承認リスト画面の例を示す図（その１）である。
【図３２】審査・承認リスト画面の例を示す図（その２）である。
【図３３】審査者／承認者のスケジュールおよび離席情報による代理審査／代理承認への移行を可能とした場合の申請文書の状態遷移図である。
【図３４】審査者／承認者のスケジュールおよび離席情報による代理審査／代理承認への移行を行う処理を示すシーケンス図である。
【図３５】審査者自動切替の処理例を示すフローチャートである。
【図３６】スケジュール管理システムと審査・承認フロー自動変更システムと無線通信機器管理システムのデータ通信の例を示す図である。
【図３７】審査者／承認者のスケジュールおよび離席情報による代理審査／代理承認への移行を行う場合の画面フロー図である。
【図３８】審査・承認リスト画面の例を示す図（その１）である。
【図３９】審査・承認リスト画面の例を示す図（その２）である。
【符号の説明】
【００９１】
１      クライアント
１１    ブラウザ
２      ワークフローシステム
２１    ＵＩアプリケーション
２２    ワークフローエンジン
２３    タスクスケジューラ
２４    審査・承認フロー自動変更システム
３      データベース
４      ユーザ認証システム
５      ディレクトリサービスシステム
６      スケジュール管理システム
７      無線通信機器管理システム
８      無線通信機器
【図１】
2006350436.tif 000003
【図２】
2006350436.tif 000004
【図３】
2006350436.tif 000005
【図４】
2006350436.tif 000006
【図５】
2006350436.tif 000007
【図６】
2006350436.tif 000008
【図７】
2006350436.tif 000009
【図８】
2006350436.tif 000010
【図９】
2006350436.tif 000011
【図１０】
2006350436.tif 000012
【図１１】
2006350436.tif 000013
【図１２】
2006350436.tif 000014
【図１３】
2006350436.tif 000015
【図１４】
2006350436.tif 000016
【図１５】
2006350436.tif 000017
【図１６】
2006350436.tif 000018
【図１７】
2006350436.tif 000019
【図１８】
2006350436.tif 000020
【図１９】
2006350436.tif 000021
【図２０】
2006350436.tif 000022
【図２１】
2006350436.tif 000023
【図２２】
2006350436.tif 000024
【図２３】
2006350436.tif 000025
【図２４】
2006350436.tif 000026
【図２５】
2006350436.tif 000027
【図２６】
2006350436.tif 000028
【図２７】
2006350436.tif 000029
【図２８】
2006350436.tif 000030
【図２９】
2006350436.tif 000031
【図３０】
2006350436.tif 000032
【図３１】
2006350436.tif 000033
【図３２】
2006350436.tif 000034
【図３３】
2006350436.tif 000035
【図３４】
2006350436.tif 000036
【図３５】
2006350436.tif 000037
【図３６】
2006350436.tif 000038
【図３７】
2006350436.tif 000039
【図３８】
2006350436.tif 000040
【図３９】
2006350436.tif 000041